(57)【要約】【課題】  本考案は、ワンタッチで迅速かつ容易に着けたり外したりすることができると共にネクタイの結び方を習得していなくても上手にネクタイを着けることができるワンタッチ式着脱容易ネクタイを提供する。【解決手段】  ワンタッチ式着脱容易ネクタイ１０は首１に嵌めて取り付けられる略環状の首嵌付体１２と、この首嵌付体１２の中央部正面に取り付けられるネクタイ本体１４から構成されている。首嵌付体１２は弾性体で形成され、首嵌付体１２には円弧状の第１首押圧部３２と第２首押圧部３６が形成されている。前記ネクタイ本体１４は首嵌付体１２に取り付けられる結び目体４０とネクタイ片４２とから構成されている。この結び目体４０は前記首嵌付体１２に取り付けられると共に結び目体４０には前記ネクタイ片４２が挿通されるネクタイ片挿通部４４が形成されている。【選択図】  図１
0003106990.tif 000002
【実用新案登録請求の範囲】
【請求項１】
弾性体で略環状に形成された首嵌付体と、この首嵌付体の中央部から一端部にかけて形成された円弧状の第１首押圧部と、前記首嵌付体の中央部から他端部にかけて形成された円弧状の第２首押圧部と、前記首嵌付体の一端部と他端部の間に形成された開口部と、前記首嵌付体の中央部に取り付けられるネクタイ本体と、を有してなることを特徴とするワンタッチ式着脱容易ネクタイ。
【請求項２】
弾性体で略環状に形成された首嵌付体と、この首嵌付体の正面中央部に逆ハ字状に形成された第１折曲線及び第２折曲線と、この第１折曲線と第２折曲線の間に形成された傾斜部と、この傾斜部の上部に窪んで形成されたネクタイ片収容溝部と、前記首嵌付体の一端部と第１折曲線の間に形成された円弧状の第１首押圧部と、前記首嵌付体の他端部と第２折曲線の間に形成された円弧状の第２首押圧部と、前記首嵌付体の一端部と他端部の間に形成された開口部と、前記首嵌付体に取り付けられるネクタイ本体と、このネクタイ本体を構成すると共に前記首嵌付体の中央部に取り付けられる結び目体と、前記ネクタイ本体を構成すると共に前記結び目体のネクタイ片挿通部に挿通された状態で前記首嵌付体に取り付けられるネクタイ片と、を有してなることを特徴とするワンタッチ式着脱容易ネクタイ。
【請求項３】
弾性体で略環状に形成された首嵌付体と、この首嵌付体の正面中央部に逆ハ字状に形成された第１折曲線及び第２折曲線と、この第１折曲線と第２折曲線の間に形成された傾斜部と、前記首嵌付体の一端部と第１折曲線の間に形成された円弧状の第１首押圧部と、前記首嵌付体の他端部と第２折曲線の間に形成された円弧状の第２首押圧部と、前記首嵌付体の一端部と他端部の間に形成された開口部と、前記首嵌付体の中央部に取り付けられる蝶ネクタイタイプのネクタイ本体と、を有してなることを特徴とするワンタッチ式着脱容易ネクタイ。
【請求項４】
弾性体で略環状に形成された首嵌付体と、この首嵌付体の正面中央部に逆ハ字状に形成された第１折曲線及び第２折曲線と、この第１折曲線と第２折曲線の間に形成された傾斜部と、前記首嵌付体の一端部と第１折曲線の間に形成された円弧状の第１首押圧部と、前記首嵌付体の他端部と第２折曲線の間に形成された円弧状の第２首押圧部と、前記首嵌付体の一端部と他端部の間に形成された開口部と、前記首嵌付体の中央部に取り付けられるリボンネクタイタイプのネクタイ本体と、を有してなることを特徴とするワンタッチ式着脱容易ネクタイ。
【考案の詳細な説明】
【技術分野】
【０００１】
本考案は、迅速かつ容易にネクタイを着脱することができるワンタッチ式着脱容易ネクタイに関する。
【背景技術】
【０００２】
ネクタイを着ける場合はネクタイを首に結ぶ必要があるため一定の時間がかかると共に煩雑である。また、ネクタイを外すときも結ばれているネクタイを解く必要があるため一定の時間がかかると共に煩雑である。
特に、出勤前や登校前等のように時間が無くて慌しい場合は急いでネクタイを結ぶため結び目が崩れた状態で結んでしまったり、あるいはネクタイの大剣部よりも小剣部の方が下に垂れ下がった状態で結んでしまったりする確率が高くなる。従って、このような場合、再度ネクタイを結び直している。
また、ネクタイを上手に結ぶためにはネクタイの結び方を習得する必要があるが、ネクタイを結んだことの無い新入社員や新入学生はネクタイを上手く結ぶことがむずかしく何回もネクタイを結び直したりして煩雑である。
【考案の開示】
【考案が解決しようとする課題】
【０００３】
本考案は、上記事実に鑑みなされたものであり、ワンタッチで迅速かつ容易に着けたり外したりすることができると共にネクタイの結び方を習得していなくても上手にネクタイを着けることができるワンタッチ式着脱容易ネクタイを提供するものである。
【課題を解決するための手段】
【０００４】
請求項１の考案は、弾性体で略環状に形成された首嵌付体と、この首嵌付体の中央部から一端部にかけて形成された円弧状の第１首押圧部と、前記首嵌付体の中央部から他端部にかけて形成された円弧状の第２首押圧部と、前記首嵌付体の一端部と他端部の間に形成された開口部と、前記首嵌付体の中央部に取り付けられるネクタイ本体と、を有してなることを特徴としている。
請求項２の考案は、弾性体で略環状に形成された首嵌付体と、この首嵌付体の正面中央部に逆ハ字状に形成された第１折曲線及び第２折曲線と、この第１折曲線と第２折曲線の間に形成された傾斜部と、この傾斜部の上部に窪んで形成されたネクタイ片収容溝部と、前記首嵌付体の一端部と第１折曲線の間に形成された円弧状の第１首押圧部と、前記首嵌付体の他端部と第２折曲線の間に形成された円弧状の第２首押圧部と、前記首嵌付体の一端部と他端部の間に形成された開口部と、前記首嵌付体に取り付けられるネクタイ本体と、このネクタイ本体を構成すると共に前記首嵌付体の中央部に取り付けられる結び目体と、前記ネクタイ本体を構成すると共に前記結び目体のネクタイ片挿通部に挿通された状態で前記首嵌付体に取り付けられるネクタイ片と、を有してなることを特徴としている。
請求項３の考案は、弾性体で略環状に形成された首嵌付体と、この首嵌付体の正面中央部に逆ハ字状に形成された第１折曲線及び第２折曲線と、この第１折曲線と第２折曲線の間に形成された傾斜部と、前記首嵌付体の一端部と第１折曲線の間に形成された円弧状の第１首押圧部と、前記首嵌付体の他端部と第２折曲線の間に形成された円弧状の第２首押圧部と、前記首嵌付体の一端部と他端部の間に形成された開口部と、前記首嵌付体の中央部に取り付けられる蝶ネクタイタイプのネクタイ本体と、を有してなることを特徴としている。
請求項４の考案は、弾性体で略環状に形成された首嵌付体と、この首嵌付体の正面中央部に逆ハ字状に形成された第１折曲線及び第２折曲線と、この第１折曲線と第２折曲線の間に形成された傾斜部と、前記首嵌付体の一端部と第１折曲線の間に形成された円弧状の第１首押圧部と、前記首嵌付体の他端部と第２折曲線の間に形成された円弧状の第２首押圧部と、前記首嵌付体の一端部と他端部の間に形成された開口部と、前記首嵌付体の中央部に取り付けられるリボンネクタイタイプのネクタイ本体と、を有してなることを特徴としている。
【考案の効果】
【０００５】
本考案は、ワンタッチでネクタイを着脱できるので、手間がかからず迅速かつ容易にネクタイを着脱することができるという優れた効果を有する。
また、本考案は、ネクタイの結び方を習得していなくても上手にネクタイを着けることができるという優れた効果を有する。
【考案を実施するための最良の形態】
【０００６】
考案を実施するために最良の形態の例として以下のような実施例を示す。
【実施例１】
【０００７】
図１〜図６には本考案に係わるワンタッチ式着脱容易ネクタイの第１実施例が示されている。
図１及び図６に示されるように、ワンタッチ式着脱容易ネクタイ１０は首１（図６参照）に嵌めて取り付けられる略環状の首嵌付体１２と、この首嵌付体１２の中央部正面に取り付けられるネクタイ本体１４から構成されている。
図２に示されるように、前記首嵌付体１２は弾性体としての薄い帯状の鋼からなる芯体１６を略環状に折り曲げ、その上にカバー生地１８を覆うことにより形成されている。なお、このカバー生地１８は前記ネクタイ本体１４と同じ素材、同じ色柄の生地が使用され外見上統一されている。
前記首嵌付体１２の正面中央部には逆ハ字状に第１折曲線２０，第２折曲線２２が形成され、第１折曲線２０と第２折曲線２２の間には傾斜状の傾斜部２４が形成されている。この傾斜部２４の上部には少し窪んだネクタイ片収容溝部２６が形成されている。
前記首嵌付体１２の一端部３０と第１折曲線２０の間には円弧状の第１首押圧部３２が形成されている。また、前記一端部３０と対向する首嵌付体１２の他端部３４と第２折曲線２２の間には円弧状の第２首押圧部３６が形成されている。
前記一端部３０と他端部３４の間には開口部３８が形成されている。従って、前記一端部３０と他端部３４を離間方向に引っ張って前記開口部３８を広げると、図６に示されるように前記首嵌付体１２を首１に嵌めることができるようになっている。また、首嵌付体１２を首１に嵌めた後は前記第１首押圧部３２と第２首押圧部３６は弾性復帰して再び接近することにより、前記第１首押圧部３２と第２首押圧部３６が首１を挟む状態になるので確実に首嵌付体１２を首１にフィットした状態で着けることができる。
図３に示されるように、前記ネクタイ本体１４は前記首嵌付体１２に取り付けられる結び目体４０とネクタイ片４２とから構成されている。この結び目体４０は端部４０Ａ，４０Ａが少し折り返されて前記ネクタイ片４２が挿通されるネクタイ片挿通部４４が形成されている。また、前記ネクタイ片４２には大剣部４６と小剣部４８が連続形成されている。
図４に示されるように、前記結び目体４０は前記首嵌付体１２の正面中央に配設され、結び目体４０の端部４０Ａ，４０Ａが首嵌付体１２に縫着等の適宜手段で取り付けられている。
従って、図３及び図６に示されるように、結び目体４０にネクタイ片４２を取り付ける場合は、結び目体４０のネクタイ片挿通部４４にネクタイ片４２の小剣部４８を挿通させたてネクタイ片４２を折り返して大剣部４６と小剣部４８が重なるようにしてからネクタイピン５０の差込ピン部を大剣部４６と小剣部４８に刺し込めばネクタイ片４２は結び目体４０に取り付けられた状態になる。なお、この場合、図１に示されるようにネクタイ片４２の折返部４２Ａ周辺は首嵌付体１２の傾斜部２４に対応すると共にネクタイ片収容溝部２６に入り込むので折返部４２Ａ周辺が結び目体４０より突出することがないので結び目体４０周辺は綺麗に見える。
【０００８】
次に、実施例のワンタッチ式着脱容易ネクタイ１０の作用について説明する。
図１に示される状態のワンタッチ式着脱容易ネクタイ１０を着ける場合は、ワンタッチ式着脱容易ネクタイ１０の首嵌付体１２をワイシャツ２の胸部に当てて、その状態で首嵌付体１２を首１方向に向ってスライドさせる。そして、前記首嵌付体１２の一端部３０と他端部３４をワイシャツ２の襟３の下にそれぞれ差し込むと、第１首押圧部３２と第２首押圧部３６が離間方向に広げられて開口部３８が広がる。これにより、首嵌付体１２を首１に嵌めることができ、嵌めた後は前記第１首押圧部３２と第２首押圧部３６は弾性復帰して再び接近して首１を挟む状態になる。これにより、フィットした状態で確実に首嵌付体１２を首１に嵌めることができ、ワンタッチ式着脱容易ネクタイ１０を着けることができる。
従って、本考案のワンタッチ式着脱容易ネクタイ１０は、前記首嵌付体１２を首１に嵌め込むだけのワンタッチで図６に示す状態になるので、従来のネクタイのようにネクタイを首に結ぶ必要がないため、迅速かつ容易に着けることができる。
しかも、結び目体４０とネクタイ片４２から構成されているネクタイ本体１４は予め首嵌付体１２に綺麗に取り付けられているので、従来のネクタイのように結び目が上手く結べなかったり、あるいはネクタイの小剣部の下端部が大剣部の下端部より下がった状態で結んでしまうことがないので、ネクタイの結び直しのような手間を省くことができる。
図６に示す状態のワンタッチ式着脱容易ネクタイ１０を外す場合は前記首嵌付体１２を下方に引っ張ると前記第１首押圧部３２と第２首押圧部３６は離間方向に開くので、ワンタッチでワンタッチ式着脱容易ネクタイ１０を迅速かつ容易に外すことができる。従って、従来のネクタイのように結び目を解いてネクタイを外すような煩わしさは全くない。
また、ワンタッチ式着脱容易ネクタイ１０を着けていて襟元が苦しい場合や暑苦しい場合等は前記首嵌付体１２を下方に少し引っ張ることにより、ネクタイ本体１４の結び目体４０をそのままの状態で襟元を少し開けることができるので、従来のネクタイのように結び目の崩れ等を気にする必要がない。
しかも、前記首嵌付体１２を下方に少し引っ張ることによりワイシャツ２の襟３から前記首嵌付体１２の一部が露出しても首嵌付体１２のカバー生地１８は前記ネクタイ本体１４と同じ素材、同じ色柄の生地が使用されているので外観上統一されているため看者に対して違和感を与えるようなことはない。
なお、前記ネクタイ片４２の大剣部４６を長くしたり短くしたりしたい場合はネクタイピン５０を一旦外した後に大剣部４６を下にスライドさせ足り、上にスライドさせることにより大剣部４６を長くしたり短くしたりすることができる。従って、ワンタッチ式着脱容易ネクタイ１０を使用する者の好みに応じて大剣部４６を長くしたり短くしたりする調節を行うことができる。
【０００９】
図７には第２実施例のワンタッチ式着脱容易ネクタイが示されている。なお、第１実施例のワンタッチ式着脱容易ネクタイ１０と同一の構成は、同一の符号を用いてその説明は省略する。
図７に示されるように、第２実施例のワンタッチ式着脱容易ネクタイ６０は首嵌付体１２の正面に取り付けられているネクタイ本体６２は蝶ネクタイタイプである。従って、蝶ネクタイを着けたい場合に使用されるものである。
なお、他の構成及び作用、効果は第１実施例のワンタッチ式着脱容易ネクタイ１０と同一であるので省略する。
【００１０】
図８には第３実施例のワンタッチ式着脱容易ネクタイが示されている。なお、第１実施例のワンタッチ式着脱容易ネクタイ１０と同一の構成は、同一の符号を用いてその説明は省略する。
図８に示されるように、第３実施例のワンタッチ式着脱容易ネクタイ７０は首嵌付体１２の正面に取り付けられているネクタイ本体７２はリボンネクタイタイプである。従って、主に女性等がリボンタイプのネクタイを着けたい場合に使用されるものである。
なお、他の構成及び作用、効果は第１実施例のワンタッチ式着脱容易ネクタイ１０と同一であるので省略する。
【００１１】
なお、実施例のワンタッチ式着脱容易ネクタイ１０，６０，７０に使用される首嵌付体１２の形状は図２に示される形状に限定されるものでなく、図９に示されるように開口部３８を狭くした形状でもよいことは勿論である。
【００１２】
なお、実施例では、前記首嵌付体１２の芯体１６を弾性体としての鋼で形成したが弾性体は鋼に限定されるものでなく、芯体１６は弾性体で首１をフィットした状態で挟みつけるような材質であればプラスチック等の合成樹脂材等でもよいことは勿論である。
また、実施例では、前記首嵌付体１２は芯体１６の上にカバー生地１８を覆うことにより形成したが、カバー生地１８で覆わないようにしてもよいことは勿論である。
なお、実施例では、結び目体４０を首嵌付体１２の正面中央に縫い付けて取り付けたが、結び目体４０の取り付け手段は縫い付けに限定されるもでなく、接着やピン止め等の他の手段で取り付けてもよいことは勿論である。
また、実施例では、通常のネクタイタイプ、蝶ネクタイタイプ、リボンタイプのネクタイを示したが、ネクタイのタイプはこれに限定されるものでなく、他のタイプのネクタイを首嵌付体１２に取り付けてもよいことは勿論である。
【図面の簡単な説明】
【００１３】
【図１】第１実施例のワンタッチ式着脱容易ネクタイの全体斜視図である。
【図２】第１実施例のワンタッチ式着脱容易ネクタイの首嵌付体の全体斜視図である。
【図３】第１実施例のワンタッチ式着脱容易ネクタイのネクタイ本体の分解斜視図である。
【図４】第１実施例のワンタッチ式着脱容易ネクタイのネクタイ本体の結び目体を首嵌付体に取り付けた状態の一部斜視図である。
【図５】第１実施例のワンタッチ式着脱容易ネクタイのネクタイ本体のを首嵌付体に取り付けた状態の一部背面図である。
【図６】第１実施例のワンタッチ式着脱容易ネクタイを着けた状態の全体斜視図である。
【図７】第２実施例のワンタッチ式着脱容易ネクタイの全体斜視図である。
【図８】第３実施例のワンタッチ式着脱容易ネクタイの全体斜視図である。
【図９】実施例のワンタッチ式着脱容易ネクタイに使用される首嵌付体の他の実施例の全体斜視図である。
【符号の説明】
【００１４】
１０    ワンタッチ式着脱容易ネクタイ
１２    首嵌付体
１４    ネクタイ本体
１８    カバー生地
２０    第１折曲線
２２    第２折曲線
２４    傾斜部
２６    ネクタイ片収容溝部
３０    一端部
３２    第１首押圧部
３４    他端部
３６    第２首押圧部
３８    開口部
４０    結び目体
４２    ネクタイ片
４４    ネクタイ片挿通部
【図１】
0003106990.tif 000003
【図２】
0003106990.tif 000004
【図３】
0003106990.tif 000005
【図４】
0003106990.tif 000006
【図５】
0003106990.tif 000007
【図６】
0003106990.tif 000008
【図７】
0003106990.tif 000009
【図８】
0003106990.tif 000010
【図９】
0003106990.tif 000011